(57)【特許請求の範囲】
【請求項１】
ケーブルラックにおけるケーブル敷設領域を仕切る相隣合うセパレータに跨って配置される連結部材と、
両前記セパレータが有する挿通孔毎に前記連結部材に形成され前記挿通孔に連通すると共に周面が互いに電気的に接続された複数のネジ孔と、
座面に爪部が設けられ導電性を有し、前記挿通孔に挿通された状態で前記ネジ孔に螺合される複数のネジと、
を備えるケーブルラックのセパレータ用連結組立体において、
前記連結部材は、前記セパレータに当接する板部とこの板部の板面から突出する円筒部とを有し、
前記ネジ孔は、前記円筒部の内部に形成され、
前記板部には、前記円筒部の突出方向と逆方向に突出すると共に前記円筒部を内包する収納部が形成されており、
前記収納部の内部を前記セパレータに向けた状態で前記連結部材をセパレータに当接させて前記ネジと前記ネジ孔とを螺合することで、前記連結部材に両前記セパレータを締結しこれらのセパレータを連結すると共に、
該螺合の際に前記爪部が前記セパレータの導電性基体の表面に設けられた被膜を剥がし前記導電性基体に接し、前記ネジ及び前記連結部材を介して両前記セパレータを電気的に接続することを特徴とするケーブルラックのセパレータ用連結組立体。
【発明の詳細な説明】
【技術分野】
【０００１】
本発明は、ケーブルラックのセパレータ用連結組立体に関する。
【背景技術】
【０００２】
従来、工場などでは、ケーブルを敷設するためにケーブルラックが用いられる。ケーブルラックには、複数のセパレータが一列状に配設され、これらのセパレータによってケーブルラックにおけるケーブル敷設領域を仕切る構造のものが知られている。
【０００３】
セパレータ同士は、互いに電気的に接続された状態で連結される。即ち、互いに端部を付き合わせられた状態のセパレータに跨って連結板が配置され、この連結板にボルト、ナットによってセパレータが締結され、そして、連結板とは別体の導通用板によってセパレータ同士の電気的接続がなされる。
【特許文献１】実登第３０６０６３４号公報
【発明の開示】
【発明が解決しようとする課題】
【０００４】
このように従来のセパレータ連結構造は、連結板、ボルト、ナット、導通用板を用いるため、部品点数が多く、セパレータの連結作業に手間が掛かるという問題がある。
【０００５】
かかる課題を解決すべく、特許文献１には、セパレータ同士の端部を重ねて、それらのセパレータ同士をボルト、ナットによって結合する技術が開示されている。
【０００６】
しかしながら、特許文献１に記載された技術では、セパレータの構造が複雑化してしまうという問題がある。
【０００７】
本発明の目的は、セパレータの構造を複雑化することなく、セパレータ同士を電気的に接続した状態で連結するための作業を容易に行なうことができるようにすることである。
【課題を解決するための手段】
【０００８】
請求項１に記載の発明のケーブルラックのセパレータ用連結組立体は、ケーブルラックにおけるケーブル敷設領域を仕切る相隣合うセパレータに跨って配置される連結部材と、両前記セパレータが有する挿通孔毎に前記連結部材に形成され前記挿通孔に連通すると共に周面が互いに電気的に接続された複数のネジ孔と、座面に爪部が設けられ導電性を有し、前記挿通孔に挿通された状態で前記ネジ孔に螺合される複数のネジと、を備え、前記連結部材は、前記セパレータに当接する板部とこの板部の板面から突出する円筒部とを有し、前記ネジ孔は、前記円筒部の内部に形成され、前記板部には、前記円筒部の突出方向と逆方向に突出すると共に前記円筒部を内包する収納部が形成されており、前記収納部の内部を前記セパレータに向けた状態で前記連結部材をセパレータに当接させて前記ネジと前記ネジ孔とを螺合することで、前記連結部材に両前記セパレータを締結しこれらのセパレータを連結すると共に、該螺合の際に前記爪部が前記セパレータの導電性基体の表面に設けられた被膜を剥がし前記導電性基体に接し、前記ネジ及び前記連結部材を介して両前記セパレータを電気的に接続することを特徴とする。
【発明の効果】
【００１１】
請求項１に記載の発明によれば、連結部材とネジとによってセパレータが連結されると共にそれらのセパレータが電気的に接続されることにより、セパレータ同士を電気的に導通させた状態で連結するために、セパレータの構造を複雑化することがないと共に、連結部材とは別体の導通用板やナットが不要であるので、セパレータ同士を電気的に導通させた状態で連結するための作業を容易に行なうことができる。
【００１２】
また、連結部材は、セパレータに当接する板部とこの板部の板面から突出する円筒部とを有し、ネジ孔は、円筒部の内部に形成されていることにより、板部の薄肉化による連結部材の軽量化を図りつつ、ネジとの螺合に十分なネジ孔長さを確保することができる。
【００１３】
また、収納部に円筒部が内包されることにより、収納部の内部をセパレータに向けた状態で連結部材をセパレータに当接させることにより、円筒部の先端がケーブルラックに敷設されるケーブルに当たることを防止することができる。
【発明を実施するための最良の形態】
【００１４】
本発明の一実施形態を図面に基づいて説明する。図１は、本実施形態の、ケーブルラックのセパレータ用連結組立体、を備えるケーブルラックを示す斜視図、図２は、ケーブルラックのセパレータ用連結組立体がセパレータを連結した状態を示す水平断面図、図３は、ケーブルラックのセパレータ用連結組立体とセパレータとを示す分解斜視図、図４は、ケーブルラックのセパレータ用連結組立体の連結部材を示す斜視図、図５は、ケーブルラックのセパレータ用連結組立体の連結部材の収納部内部を示す斜視図、図６は、ケーブルラックのセパレータ用連結組立体のネジを示す底面図である。
【００１５】
図１に示すように、ケーブルラック１は、梯子状のケーブルラック本体２と、このケーブルラック本体２内のケーブル敷設領域２ａを仕切る複数のセパレータ３とを有して長尺状に形成されている。セパレータ３は、固定具４によってケーブルラック本体２に固定されていると共に、ケーブルラックのセパレータ用連結組立体（以後、セパレータ用連結組立体とも言う）５によって相互に連結されている。
【００１６】
ケーブルラック本体２は、一対の親桁６と、これらの親桁６間に掛け渡された複数の子桁７とを有しており、その内部には、電源線や信号線などのケーブル（図示せず）が敷設されるケーブル敷設領域２ａが形成されている。
【００１７】
セパレータ３は、ケーブルラック１の長手方向に沿って、親桁６間に配置されている。これにより、セパレータ３は、ケーブルラック１の短手方向（幅方向）にケーブル敷設領域２ａを２つの領域に仕切る。セパレータ３は、縦壁３ａと、この縦壁３ａの一辺に直角に連結された固定用壁３ｂとを有して、断面略Ｌ字状に形成されており、その固定用壁３ｂが固定具４によって子桁７に固定されている。これらのセパレータ３の端部には、挿通孔３ｃが形成されている。このような形状に形成されたセパレータ３は、図２に示すように、導電性基体３ｄの表面全体に被膜３ｅが設けられて構成されている。導電性基体３ｄの材質は、例えば、鋼、アルミニウムなどであり、被膜３ｅは、例えば塗料であり、絶縁性である。
【００１８】
図１ないし図３に示すように、セパレータ用連結組立体５は、相隣合うセパレータ３に跨って配置される連結部材１１と、この連結部材１１に形成されたネジ孔１１ａに螺合されるネジ１２とによって構成されている。
【００１９】
図３に示すように、連結部材１１のネジ孔１１ａは、セパレータ３が有する挿通孔３ｃ毎に形成されており、挿通孔３ｃに連通する。具体的には、図４及び図５に示すように、連結部材１１は、セパレータ３に当接する板部１１ｂと、この板部１１ｂの一方の板面１１ｃから突出する２つの円筒部１１ｄとを有しており、これらの円筒部１１ｄの内部にネジ孔１１ａが形成されている。また、板部１１ｂには、円筒部１１ｄの突出方向と逆方向に突出すると共に円筒部１１ｄを内包する収納部１１ｅが形成されている。このような連結部材１１は、例えば、平板状の基材に、しぼり加工によって収納部１１ｅを形成し、この収納部１１ｅにバーリング加工によって円筒部１１ｄを形成し、この円筒部１１ｄの内周面に雌ネジを形成することにより得ることができる。
【００２０】
連結部材１１は、導電性基体と、この導電性基体の表面に設けられた非導電性の被膜とから構成されていても良いし、導電性基体のみによって構成されていても良い。この導電性基体の材質としては、例えば、鋼やアルミニウムなどである。そして、この構成において、ネジ孔１１ａの周面１１ｆ同士は、電気的に接続されている。即ち、連結部材１１が導電性基体のみによって構成されている場合には、ネジ孔１１ａの周面１１ｆ同士は、その導電性基体によって電気的に接続される。また、連結部材１１が、導電性基体と被膜とから構成されていている場合には、ネジ孔１１ａの周面１１ｆには被膜を形成しない構造とする。この構造は、例えば、被膜形成後にネジ１２を切ることにより容易に実現することができる。これにより、この場合にも、ネジ孔１１ａの周面１１ｆ同士は、その導電性基体によって電気的に接続される。
【００２１】
図３及び図６に示すように、ネジ１２は、その頭部１２ａの座面１２ｂに、複数の爪部１２ｃが放射状に立設されている。爪部１２ｃは、断面略三角状であり、セパレータ３の導電性基体３ｄの表面に設けられた被膜３ｅを引っ掻き剥がすためのものである。また、ネジ１２の雄ネジが形成さた首部１２ｄの先端部は、半円状に形成されている。これらのネジ１２は、導電性材料である金属によって構成されて導電性を有している。
【００２２】
次に、セパレータ用連結組立体５によるセパレータ３の連結手順を説明する。まず、端部同士を突き合わせたセパレータ３の一面に跨って連結部材１１の板部１１ｂを当接させる。このとき、連結部材１１の収納部１１ｅの内部がセパレータ３の一面に向いた状態とする。次に、ネジ１２をセパレータ３の他面側から挿通孔３ｃに挿通させた後、連結部材１１のネジ孔１１ａに螺合させる。これにより、連結部材１１に両セパレータ３が締結されて両セパレータ３が連結される。そして、この螺合の際に、ネジ１２の爪部１２ｃがセパレータ３の導電性基体３ｄの表面に設けられた被膜３ｅを剥がし導電性基体３ｄに接する。これにより、ネジ１２及び連結部材１１を介して両セパレータ３が電気的に接続される。
【００２３】
以上説明した本実施形態によれば、連結部材１１とネジ１２とによってセパレータ３が連結されると共にそれらのセパレータ３が電気的に接続されることにより、セパレータ３同士を電気的に導通させた状態で連結するために、セパレータ３の構造を複雑化することがないと共に、連結部材１１とは別体の導通用板やナットが不要であるので、セパレータ３同士を電気的に導通させた状態で連結するための作業を容易に行なうことができる。よって、高所等の不安定な場所でも容易に連結作業を行なうことができる。また、このように、本実施形態では、連結部材１１とは別体の導通用板やナットが不要であるので、通用板やナットを有する従来構造に比べて、セパレータ用連結組立体５の部品点数の削減及び低コスト化を図ることができる。
【００２４】
また、本実施形態によれば、連結部材１１は、セパレータ３に当接する板部１１ｂとこの板部１１ｂの板面１１ｃから突出する円筒部１１ｄとを有し、ネジ孔１１ａは、円筒部１１ｄの内部に形成されていることにより、板部１１ｂの薄肉化による連結部材１１の軽量化を図りつつ、ネジ１２との螺合に十分なネジ孔１１ａ長さを確保することができる。
【００２５】
また、本実施形態によれば、収納部１１ｅに円筒部１１ｄが内包されることにより、収納部１１ｅの内部をセパレータ３に向けた状態で連結部材１１をセパレータ３に当接させることにより、円筒部１１ｄの先端がケーブルラック１に敷設されるケーブルに当たることを防止することができる。
【００２６】
また、本実施形態によれば、ネジ１２の首部１２ｄの先端部が、半円状に形成されていることにより、ネジ１２の首部１２ｄの先端部が連結部材１１から突出した場合でも、ネジ１２がケーブルに損傷を与えることを防止することができる。
【００２７】
なお、本発明は、本実施形態に限ることなく本発明の要旨を逸脱しない範囲で他の実施形態を各種採用することができる。
【図面の簡単な説明】
【００２８】
【図１】本発明の一実施形態の、ケーブルラックのセパレータ用連結組立体、を備えるケーブルラックを示す斜視図である。
【図２】本発明の一実施形態のケーブルラックのセパレータ用連結組立体がセパレータを連結した状態を示す水平断面図である。
【図３】本発明の一実施形態のケーブルラックのセパレータ用連結組立体とセパレータとを示す分解斜視図である。
【図４】本発明の一実施形態のケーブルラックのセパレータ用連結組立体の連結部材を示す斜視図である。
【図５】本発明の一実施形態のケーブルラックのセパレータ用連結組立体の連結部材の収納部内部を示す斜視図である。
【図６】本発明の一実施形態のケーブルラックのセパレータ用連結組立体のネジを示す底面図である。
【符号の説明】
【００２９】
１      ケーブルラック
２ａ    ケーブル敷設領域
３      セパレータ
３ｃ    挿通孔
３ｄ    導電性基体
３ｅ    被膜
５      ケーブルラックのセパレータ用連結組立体
１１    連結部材
１１ａ  ネジ孔
１１ｂ  板部
１１ｃ  板面
１１ｄ  円筒部
１１ｅ  収納部
１１ｆ  周面
１２    ネジ
１２ｂ  座面
１２ｃ  爪部
【図１】
0004407630.tif 000002
【図２】
0004407630.tif 000003
【図３】
0004407630.tif 000004
【図４】
0004407630.tif 000005
【図５】
0004407630.tif 000006
【図６】
0004407630.tif 000007